(57)【要約】【課題】冷却効率を向上できる構造の光変調装置およびプロジェクターを提供すること。【解決手段】光変調装置３０は、空冷により冷却される光変調装置３０であって、画素電極およびスイッチング素子を有する素子基板１１１と、素子基板１１１に対向して設置される対向基板１１２とを有し、画像信号に基づいて光束を変調する光変調素子（液晶パネル１１）と、素子基板１１１および対向基板１１２の少なくとも一方の外面（射出側外面１１１Ｂ、入射側外面１１２Ａ）に接合され、光束を透過する透明ガラス３１，３２と、液晶パネル１１を保持するフレーム３５と、を備え、フレーム３５の光束入射側または光束射出側の外面（入射側外面３５２Ａ、射出側外面３５３Ｂ）は、透明ガラス３２，３１の外面（入射側外面３２Ａ、射出側外面３１Ｂ）と略同一平面となるように形成されている。【選択図】図２
2011075770.tif 000002
【特許請求の範囲】
【請求項１】
空冷により冷却される光変調装置であって、
画素電極およびスイッチング素子を有する素子基板と、当該素子基板に対向して設置される対向基板とを有し、画像信号に基づいて光束を変調する光変調素子と、
前記素子基板および前記対向基板の少なくとも一方の外面に接合され、前記光束を透過する透明ガラスと、
前記光変調素子を保持するフレームと、を備え、
前記フレームの光束入射側または光束射出側の外面は、対応する前記透明ガラスの外面と略同一平面となるように形成されていることを特徴とする光変調装置。
【請求項２】
請求項１に記載の光変調装置であって、
前記透明ガラスは、前記素子基板または前記対向基板の外形形状以上の大きさを有していることを特徴とする光変調装置。
【請求項３】
請求項１または請求項２に記載の光変調装置であって、
前記フレームは、矩形状に形成され、前記透明ガラスの内面と、前記対向基板および前記素子基板の端面とに沿った形状を有する開口部が形成されていることを特徴とする光変調装置。
【請求項４】
請求項１〜請求項３のいずれか一項に記載の光変調装置であって、
前記フレームは、前記光束の光軸方向に沿って、光束入射側または光束射出側に延び、前記透明ガラスの端面に隣接して前記透明ガラスの外面から延出する延出部を有していることを特徴とする光変調装置。
【請求項５】
空冷により冷却される光変調装置であって、
画素電極およびスイッチング素子を有する素子基板と、当該素子基板に対向して設置される対向基板とを有し、画像信号に基づいて光束を変調する光変調素子と、
前記光変調素子を保持するフレームと、を備え、
前記フレームの光束入射側または光束射出側の外面は、対応する前記素子基板および前記対向基板の少なくとも一方の外面と略同一平面となるように形成されていることを特徴とする光変調装置。
【請求項６】
請求項５に記載の光変調装置であって、
前記フレームは、前記光束の光軸方向に沿って、光束入射側または光束射出側に延び、前記素子基板の端面または前記対向基板の端面に隣接し、前記素子基板または前記対向基板の外面から延出する延出部を有していることを特徴とする光変調装置。
【請求項７】
空冷により冷却される光変調装置であって、
画素電極およびスイッチング素子を有する素子基板と、当該素子基板に対向して設置される対向基板とを有し、画像信号に基づいて光束を変調する光変調素子と、
前記素子基板および前記対向基板の少なくとも一方の外面に接合され、前記光束を透過する透明ガラスと、
前記光変調素子を保持するフレームと、を備え、
前記透明ガラスは、前記素子基板または前記対向基板の外形形状以上の大きさを有し、
前記フレームは、前記透明ガラスの外形形状以下の大きさであることを特徴とする光変調装置。
【請求項８】
請求項１〜請求項７のいずれか一項に記載の光変調装置を備えたことを特徴とするプロジェクター。
【請求項９】
請求項１〜請求項４、請求項７のいずれか一項に記載の光変調装置と、
前記光変調素子を冷却する流路を形成し、前記光変調装置に隣接する突設部と、を備え、
前記透明ガラスの前記外面は、当該外面の延長上に、前記突設部の前記光変調装置に隣接する側面端部が略位置するように設置されることを特徴とするプロジェクター。
【請求項１０】
請求項５または請求項６に記載の光変調装置と、
前記光変調素子を冷却する流路を形成し、前記光変調装置に隣接する突設部と、を備え、
前記光変調装置の前記素子基板および前記対向基板の少なくとも一方の前記外面は、当該外面の延長上に、前記突設部の前記光変調装置に隣接する側面端部が略位置するように設置されることを特徴とするプロジェクター。
【発明の詳細な説明】
【技術分野】
【０００１】
本発明は、光変調装置およびプロジェクターに関する。
【背景技術】
【０００２】
従来、プロジェクターは、光源と、光源から射出された光束を画像信号に基づいて変調して光学像を形成する光変調素子（液晶パネルなど）と、光学像を投写する投写レンズなどにより構成されている。また、プロジェクターは、小型・高輝度化が求められている。そして、プロジェクターが小型・高輝度化されるに従い、光変調素子は発熱量が増加している。この状況に伴い、発熱する光変調素子を従来以上に効率的に冷却することが必要となっている。なお、冷却方法は、冷却ファンを用い、プロジェクター外部から外気を吸気し、光変調素子に冷却風として吐出して冷却する、いわゆる空冷方式を用いている。
【０００３】
特許文献１では、クロスダイクロイックプリズムの周囲３面の入射面と、これに対向して配置される３枚の液晶パネル（赤色光用、緑色光用、および青色光用）と、３枚の液晶パネルの入射側に配置される３つの偏光板を有しており、３枚の液晶パネルと３つの偏光板との間を冷却風が通過するようにＵ字形に構成された流路を備えている。この流路は、３枚の液晶パネルの射出側とクロスダイクロイックプリズムの周囲３面の入射面とでなす間隔により流路（仮に、第１流路とする）を形成し、３枚の液晶パネルの入射側と３つの入射側の偏光板とでなす間隔により流路（仮に、第２流路とする）を形成している。そして、第１流路と第２流路を合わせた流入口に配置した冷却ファンから冷却風を流入させ、３枚の液晶パネルを順次冷却する。そして、液晶パネルを順次冷却した後の温まった冷却風は、排出口から排出する冷却構造が開示されている。
【先行技術文献】
【特許文献】
【０００４】
【特許文献１】特開２００１−２８１６１３号公報
【発明の概要】
【発明が解決しようとする課題】
【０００５】
しかし、特許文献１では、第１流路と第２流路を仕切る壁と液晶パネルとの位置関係については触れていないが、液晶パネル自体の構造や、壁に対する液晶パネルの設置位置などによっては冷却風の圧力損失が発生することが考えられる。従って、冷却効率が上がらない場合が発生する。
従って、このような冷却構造において、冷却効率を向上できる構造の光変調装置およびプロジェクターが要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係る光変調装置は、空冷により冷却される光変調装置であって、（ａ）画素電極およびスイッチング素子を有する素子基板と、素子基板に対向して設置される対向基板とを有し、画像信号に基づいて光束を変調する光変調素子と、（ｂ）素子基板および対向基板の少なくとも一方の外面に接合され、光束を透過する透明ガラスと、（ｃ）光変調素子を保持するフレームと、を備え、フレームの光束入射側または光束射出側の外面は、対応する透明ガラスの外面と略同一平面となるように形成されていることを特徴とする。
【０００８】
このような光変調装置によれば、光変調装置は、光変調素子と透明ガラスとフレームとを備えている。そして、光変調素子を保持するフレームの光束入射側または光束射出側の外面が、対応する素子基板および対向基板の少なくとも一方の外面に接合される透明ガラスの外面と略同一平面となるように形成されている。そのため、フレームの光束入射側または光束射出側の外面と、対応する透明ガラスの外面との間の段差を極力なくすことができる。これにより、冷却風が光変調装置に流動した場合、フレームの光束入射側または光束射出側の外面に流動する冷却風は、圧力損失が極力抑えられ、素子基板および対向基板の少なくとも一方の外面に接合される透明ガラスの外面にスムーズに流動する。これにより、効率的に透明ガラスを冷却することができる。なお、透明ガラスは、素子基板および対向基板の少なくとも一方の外面に接合されているため、熱伝導により、透明ガラスに接合する素子基板および対向基板の少なくとも一方を効率的に冷却することができる。従って、光変調装置の冷却効率を向上することができる。
【０００９】
（適用例２）上記適用例に係る光変調装置において、透明ガラスは、素子基板または対向基板の外形形状以上の大きさを有していることが好ましい。
【００１０】
このような光変調装置によれば、透明ガラスの冷却風と接する表面積（放熱面積）を拡大させることができるため、透明ガラスを更に効率的に冷却することができる。これにより、透明ガラスに接合する素子基板および対向基板の少なくとも一方を更に効率的に冷却することができる。従って、光変調装置の冷却効率を更に向上することができる。
【００１１】
（適用例３）上記適用例に係る光変調装置において、フレームは、矩形状に形成され、透明ガラスの内面と、対向基板および素子基板の端面とに沿った形状を有する開口部が形成されていることが好ましい。
【００１２】
このような光変調装置によれば、透明ガラスの内面と、対向基板および素子基板の端面とに沿った形状を有する開口部が形成されるため、開口部と、透明ガラスの内面や対向基板や素子基板の端面などとの隙間を小さくすることができ、開口部を介して熱をフレームに効率的に伝達することができるため、素子基板や対向基板を効率的に冷却することができる。従って、光変調装置の冷却効率を更に向上することができる。
【００１３】
（適用例４）上記適用例に係る光変調装置において、フレームは、光束の光軸方向に沿って、光束入射側または光束射出側に延び、透明ガラスの端面に隣接して透明ガラスの外面から延出する延出部を有していることが好ましい。
【００１４】
このような光変調装置によれば、フレームに延出部を有したことにより、延出部の表面積が増加し、その分、放熱面積を増やすことができる。これにより、透明ガラスを更に効率的に冷却することができることで、素子基板または対向基板を更に効率的に冷却することができる。従って、光変調装置の冷却効率を更に向上することができる。
【００１５】
（適用例５）本適用例に係る光変調装置は、空冷により冷却される光変調装置であって、（ａ）画素電極およびスイッチング素子を有する素子基板と、素子基板に対向して設置される対向基板とを有し、画像信号に基づいて光束を変調する光変調素子と、（ｂ）光変調素子を保持するフレームと、を備え、フレームの光束入射側または光束射出側の外面は、対応する素子基板および対向基板の少なくとも一方の外面と略同一平面となるように形成されていることを特徴とする。
【００１６】
このような光変調装置によれば、光変調装置は、光変調素子とフレームとを備えている。そして、光変調素子を保持するフレームの光束入射側または光束射出側の外面が、対応する素子基板および対向基板の少なくとも一方の外面と略同一平面となるように形成されている。そのため、フレームの光束入射側または光束射出側の外面と、対応する素子基板および対向基板の少なくとも一方の外面との間の段差を極力なくすことができる。これにより、冷却風が光変調装置に流動した場合、フレームの光束入射側または光束射出側の外面に流動する冷却風は、圧力損失が極力抑えられ、対応する略同一平面となる素子基板および対向基板の少なくとも一方の外面にスムーズに流動する。これにより、素子基板および対向基板の少なくとも一方を効率的に冷却することができる。従って、光変調装置の冷却効率を向上することができる。
【００１７】
（適用例６）上記適用例に係る光変調装置において、フレームは、光束の光軸方向に沿って、光束入射側または光束射出側に延び、素子基板の端面または対向基板の端面に隣接し、素子基板または対向基板の外面から延出する延出部を有していることが好ましい。
【００１８】
このような光変調装置によれば、フレームに延出部を有したことにより、フレームの表面積が増加し、その分、放熱面積を増やすことができる。これにより、素子基板または対向基板を更に効率的に冷却することができる。従って、光変調装置の冷却効率を更に向上することができる。
【００１９】
（適用例７）本適用例に係る光変調装置は、空冷により冷却される光変調装置であって、（ａ）画素電極およびスイッチング素子を有する素子基板と、素子基板に対向して設置される対向基板とを有し、画像信号に基づいて光束を変調する光変調素子と、（ｂ）素子基板および対向基板の少なくとも一方の外面に接合され、光束を透過する透明ガラスと、（ｃ）光変調素子を保持するフレームと、を備え、透明ガラスは、素子基板または対向基板の外形形状以上の大きさを有し、フレームは、透明ガラスの外形形状以下の大きさであることを特徴とする。
【００２０】
このような光変調装置によれば、光変調装置は、光変調素子と透明ガラスとフレームとを備えている。そして、透明ガラスは、素子基板または対向基板の外形形状以上の大きさを有し、フレームは、透明ガラスの外形形状以下の大きさとなるため、透明ガラスが、フレームに対して、光変調装置の光束入射側方向または光束射出側方向に露出した形態となる。従って、素子基板または対向基板の外形形状以上の大きさの透明ガラスにより、冷却風と接する表面積（放熱面積）を拡大させることができ、しかも、フレームは、透明ガラスの外形形状以下の大きさであるため、透明ガラスの端面部も冷却風と接することができるため、効率的に透明ガラスを冷却することができる。なお、透明ガラスは、素子基板および対向基板の少なくとも一方の外面に接合されているため、熱伝導により、透明ガラスに接合する素子基板および対向基板の少なくとも一方を効率的に冷却することができる。従って、光変調装置の冷却効率を向上することができる。
【００２１】
（適用例８）本適用例に係るプロジェクターは、上述したいずれかの光変調装置を備えたことを特徴とする。
このようなプロジェクターによれば、冷却効率を向上させた光変調装置を備えるため、光変調装置が発熱量の増加にも耐えることができ、プロジェクターの小型・高輝度化を図ることができる。
【００２２】
（適用例９）本適用例に係るプロジェクターは、上述したいずれかの光変調装置と、光変調素子を冷却する流路を形成し、光変調装置に隣接する突設部と、を備え、透明ガラスの外面は、当該外面の延長上に、突設部の光変調装置に隣接する側面端部が略位置するように設置されることを特徴とする。
【００２３】
このようなプロジェクターによれば、透明ガラスの外面は、この外面の延長上に、流路を形成する突設部の光変調装置に隣接する側面端部が略位置するように設置される。これにより、突設部の光変調装置に隣接する側面端部と、外面との間の段差を極力なくすことができる。これにより、流路を流動する冷却風は、突設部の側面端部から透明ガラスの外面にスムーズに流動でき、圧力損失を極力抑えることができる。また、冷却風は、透明ガラスの外面から、突設部の側面端部にもスムーズに流動でき、圧力損失を極力抑えることができる。従って、透明ガラスを効率的に冷却することができることにより、透明ガラスが接合する素子基板および対向基板の少なくとも一方を冷却でき、光変調装置の冷却効率を向上できるプロジェクターを実現することができる。
【００２４】
（適用例１０）本適用例に係るプロジェクターは、上述したいずれかの光変調装置と、光変調素子を冷却する流路を形成し、光変調装置に隣接する突設部と、を備え、光変調装置の素子基板および対向基板の少なくとも一方の外面は、当該外面の延長上に、突設部の光変調装置に隣接する側面端部が略位置するように設置されることを特徴とする。
【００２５】
このようなプロジェクターによれば、光変調装置の素子基板および対向基板の少なくとも一方の外面は、この外面の延長上に、流路を形成する突設部の光変調装置に隣接する側面端部が略位置するように設置される。これにより、突設部の光変調装置に隣接する側面端部と、外面との間の段差を極力なくすことができる。これにより、流路を流動する冷却風は、突設部の側面端部から素子基板および対向基板の少なくとも一方の外面にスムーズに流動でき、圧力損失を極力抑えることができる。また、冷却風は、素子基板および対向基板の少なくとも一方の外面から、突設部の側面端部にもスムーズに流動でき、圧力損失を極力抑えることができる。従って、素子基板および対向基板の少なくとも一方を効率的に冷却することができることにより、光変調装置の冷却効率を向上できるプロジェクターを実現することができる。
【図面の簡単な説明】
【００２６】
【図１】第１実施形態に係るプロジェクターの光学系を示す概平面図。
【図２】第１実施形態に係る光変調装置を示す図であり、（ａ）は光変調装置の概構成図、（ｂ）は光変調装置の概断面図。
【図３】第２実施形態に係る光変調装置を示す図であり、（ａ）は光変調装置の概構成図、（ｂ）は光変調装置の概断面図。
【図４】第３実施形態に係る光変調装置を示す図であり、（ａ）は光変調装置の概構成図、（ｂ）は光変調装置の概断面図。
【図５】第４実施形態に係る光変調装置を示す図であり、（ａ）は光変調装置の概構成図、（ｂ）は光変調装置の概断面図。
【図６】第５実施形態に係る光変調装置を示す図であり、（ａ）は光変調装置の概構成図、（ｂ）は光変調装置の概断面図。
【図７】第６実施形態に係る光変調装置を示す図であり、（ａ）は光変調装置の概構成図、（ｂ）は光変調装置の概断面図。
【図８】第７実施形態に係るプロジェクターの冷却用の流路部分を示す図であり、（ａ）は流路部分を示す概平面図、（ｂ）は光変調装置と第２壁部との位置関係を示す概斜視図。
【発明を実施するための形態】
【００２７】
以下、実施形態を図面に基づいて説明する。
（第１実施形態）
【００２８】
図１は、第１実施形態に係るプロジェクターの光学系を示す概平面図である。図２は、第１実施形態に係る光変調装置を示す図であり、図２（ａ）は、光変調装置の概構成図であり、図２（ｂ）は、光変調装置の概断面図である。図１を参照して、プロジェクター１の光学系４の構成および動作を簡単に説明する。
【００２９】
なお、本実施形態を説明する図１および以降で説明する図において、プロジェクター１に対し、投写レンズ４７１の投写光軸Ｂの方向をＹ軸方向、Ｙ軸方向に直交する光源ランプ４１の照明光軸Ａの方向をＸ軸方向、Ｙ軸方向とＸ軸方向とに直交する方向をＺ方向、としたＸＹＺ直交座標系で示す。また、投写レンズ４７１内を光束が進む方向を＋Ｙ方向、＋Ｙ方向に沿って右方向を＋Ｘ方向、＋Ｙ方向に沿って上方向を＋Ｚ方向とする。なお、Ｚ軸方向は、プロジェクター１の厚み方向（高さ方向）となる。
【００３０】
図１に示すように、プロジェクター１の光学系４は、制御部（図示省略）による制御により、画像信号に基づいて画像光を形成するものである。光学系４は、光源装置（光源ランプ４１）、照明光学装置４２、色分離光学装置４３、リレー光学装置４４、光学装置４５、色合成光学装置４６、投写光学装置４７、および光学部品用筐体４８を備えている。
【００３１】
光源ランプ４１は、発光管４１１およびリフレクター４１２を有し、発光管４１１の発光により光束をリフレクター４１２で反射させて、被照明領域に射出するものである。
照明光学装置４２は、光源ランプ４１から射出された光束に対し、照明光軸Ａに直交する面内での照度を均一化するためのものである。照明光学装置４２は、レンズアレイ４２２，４２３、偏光変換素子４２４、および重畳レンズ４２５を有している。また、照明光学装置４２は、３つのフィールドレンズ４２９を有している。フィールドレンズ４２９は、光学装置４５の３つの液晶パネル１１（光変調素子）の手前に配置され、レンズアレイ４２２から射出された各部分光束をその中心軸に対して平行な光束に変換する。
【００３２】
色分離光学装置４３は、照明光学装置４２からの照明光束を赤色（Ｒ）、緑色（Ｇ）、および青色（Ｂ）の３つの色光に分離して３つの液晶パネル１１に導光するものである。色分離光学装置４３は、ダイクロイックミラー４３１，４３２、および反射ミラー４３３を有している。
【００３３】
リレー光学装置４４は、色分離光学装置４３で分離された色光（本実施形態では赤色光）に対し、光路の長さが他の色光の光路の長さよりも長くなるため、光の発散などによる光の利用効率の低下を防止し、液晶パネル１１（本実施形態では液晶パネル１１Ｒ）まで導くものである。リレー光学装置４４は、入射側レンズ４４１、リレーレンズ４４３、および反射ミラー４４２，４４５を有している。
【００３４】
光学装置４５は、各液晶パネル１１に入射した各色光を画像信号に基づいて変調して色光毎の画像光を形成するものである。光学装置４５は、光変調素子としての３つの液晶パネル１１、３つの入射側偏光板４５２、３つの射出側偏光板４５３を有している。なお、光変調素子としての液晶パネル１１は、液晶パネル１１を固定するフレーム３５（図２参照）に固定される。そして、フレーム３５に液晶パネル１１を固定（収容）したものが光変調装置３０（図２参照）となる。
【００３５】
液晶パネル１１は、入射側偏光板４５２を介して入射する光束を画像信号に基づいて変調して射出する。また、液晶パネル１１は、赤色光用変調素子としての赤色光用の液晶パネル１１Ｒ、緑色光用変調素子としての緑色光用の液晶パネル１１Ｇ、および青色光用変調素子としての青色光用の液晶パネル１１Ｂとの３つで構成されている。
【００３６】
入射側偏光板４５２は、色分離光学装置４３で分離された各色光のうち、一定方向の偏光光のみ透過させ、その他の光束を吸収するものである。また、射出側偏光板４５３も、入射側偏光板４５２と略同様に構成され、液晶パネル１１から射出された光束のうち、所定方向の偏光光のみ透過させ、その他の光束を吸収するものであり、透過させる偏光光の偏光軸は、入射側偏光板４５２における透過させる偏光光の偏光軸に対して直交するように設定されている。なお、入射側偏光板４５２および射出側偏光板４５３は、３つの液晶パネル１１（１１Ｒ，１１Ｇ，１１Ｂ）に併せて、３つの入射側偏光板４５２（４５２Ｒ，４５２Ｇ，４５２Ｂ）と３つの射出側偏光板４５３（４５３Ｒ，４５３Ｇ，４５３Ｂ）を有している。
【００３７】
色合成光学装置４６は、光学装置４５で形成された色光毎の画像光を合成するものである。色合成光学装置４６は、クロスダイクロイックプリズム４６１を有している。クロスダイクロイックプリズム４６１には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム４６１によって合成された色光は光学像として、投写光学装置４７に向けて射出される。
【００３８】
投写光学装置４７は、複数のレンズから構成される投写レンズ４７１を有して構成されている。投写光学装置４７は、色合成光学装置４６で合成された画像光を投写レンズ４７１で拡大してスクリーン（図示省略）に拡大投写する。なお、投写レンズ４７１の光軸を投写光軸Ｂで図示している。なお、上述した各光学装置４１，４２〜４６に関しての詳細な説明は省略する。
【００３９】
図２を参照して、光変調装置３０の構成および動作を説明する。
光変調装置３０は、上述したように、光学系４における光学装置４５を構成している。そして、本実施形態の光変調装置３０は、光変調素子としての液晶パネル１１と、液晶パネル１１を固定するフレーム３５と、画像信号を液晶パネル１１に伝達して駆動するケーブル１９とを有して構成されている。なお、本実施形態の光変調装置３０は、図１に示す３つの液晶パネル１１のうち、緑色光用の液晶パネル１１Ｇを例にして説明する。従って、ＸＹＺ直交座標系も対応させて図示する。なお、他の液晶パネル１１Ｒ，１１Ｂも液晶パネル１１Ｇと同様に構成される。なお、以降の説明において、方向を示す光束入射側および光束射出側に対して、光束を省略して単に、入射側および射出側と、適宜呼称する。
【００４０】
液晶パネル１１（１１Ｇ）は、画素電極（図示省略）と画素電極に接続されるスイッチング素子（図示省略）とを有する素子基板１１１と、素子基板１１１に対向して設置された対向基板１１２とを有している。本実施形態では、スイッチング素子として、ポリシリコンＴＦＴ（Thin Film Transistor）を用いている。また、液晶パネル１１は、素子基板１１１と対向基板１１２とに挟まれて液晶が密封封入されている。
【００４１】
また、液晶パネル１１は、対向基板１１２に比べて素子基板１１１の外形が大きく形成されている。そして、素子基板１１１の入射側外面１１１Ａの上部にはケーブル１９が接続されている。また、液晶パネル１１は、素子基板１１１の射出側外面１１１Ｂに、素子基板１１１の外形に比較して大きい透明ガラス３１が接合される。また、対向基板１１２の入射側外面１１２Ａには、後述するフレーム３５へ組み立てた後、対向基板１１２の外形に比較して大きい透明ガラス３２が接合される。なお、本実施形態では２つの透明ガラス３１，３２の外形形状は略同一である。
【００４２】
そして、液晶パネル１１は、入射側偏光板４５２および透明ガラス３２を介して入射する光束を、ケーブル１９を介して入力する画像信号に基づいて変調する。なお、液晶パネル１１で変調されて射出された光束は、透明ガラス３１および射出側偏光板４５３を介してクロスダイクロイックプリズム４６１に入射する。
【００４３】
なお、光変調装置３０をプロジェクター１に搭載した場合、内部に侵入した塵埃は透明ガラス３１の射出側外面３１Ｂや、透明ガラス３２の入射側外面３２Ａに付着することになる。透明ガラス３１，３２を配置することにより、プロジェクター１を駆動（光変調装置３０を駆動）してスクリーンなどに投写した際に、付着する塵埃は投写レンズ４７１の焦点からずれることになる。従って、透明ガラス３１，３２を用いることで、付着する塵埃の投写影を目立たせなくすることができる。
【００４４】
本実施形態のフレーム３５は、液晶パネル１１を保持して固定する部材である。フレーム３５は、矩形状をなし、光束入射側（−Ｙ方向）の入射側縁部３５２と光束射出側（＋Ｙ方向）の射出側縁部３５３を有したフレーム本体３５１で形成される。また、フレーム３５は、中央には、開口部３５４，３５５，３５６，３５７が形成されている。また、フレーム本体３５１の上面には、ケーブル１９を挿通するケーブル用孔３５８が貫通して形成されている。
【００４５】
液晶パネル１１のフレーム３５への組み立てを説明する。
図２（ａ）に示すように、透明ガラス３１の入射側外面３１Ａを素子基板１１１の射出側外面１１１Ｂに接合する。次に、フレーム３５の透明ガラス当て部３５４Ａに接着剤を塗布し、透明ガラス３２を開口部３５４に挿入し、透明ガラス３２の射出側外面３２Ｂを透明ガラス当て部３５４Ａに当接させる。次に、透明ガラス当て部３５４Ａに塗布した接着剤を硬化させて、当接した透明ガラス３２をフレーム本体３５１に固定する。
【００４６】
次に、透明ガラス３１が接合された液晶パネル１１の対向基板１１２がフレーム３５の開口部３５７に臨むように位置させ、ケーブル１９を開口部３５７側からケーブル用孔３５８に挿通させる。なお、このとき対向基板１１２の入射側外面１１２Ａには、接着剤が塗布されている。また、開口部３５５、開口側面部３５５Ａ、開口部３５６、開口側面部３５６Ａ、および開口部３５７にも接着剤が塗布されている。
【００４７】
次に、対向基板１１２を開口部３５５に挿通し、対向基板１１２の入射側外面１１２Ａを透明ガラス３２の射出側外面３２Ｂに当接させる。次に、対向基板１１２の入射側外面１１２Ａに塗布した接着剤を硬化させて、当接した対向基板１１２を透明ガラス３２に固定する。
【００４８】
また、開口部３５５、開口側面部３５５Ａ、開口部３５６、開口側面部３５６Ａ、および開口部３５７に塗布した接着剤も硬化する。これにより、液晶パネル１１の素子基板１１１、対向基板１１２、および透明ガラス３１の外周端面などがフレーム本体３５１に固定される。
以上の組み立てにより、光変調装置３０が完成する。
【００４９】
以上のように組み立てられた光変調装置３０は、図２（ｂ）に示すように、フレーム３５の入射側外面３５２Ａが、対向基板１１２に接合する透明ガラス３２の入射側外面３２Ａと略同一平面となっている。また、フレーム３５の射出側外面３５３Ｂが、素子基板１１１に接合する透明ガラス３１の射出側外面３１Ｂと略同一平面となっている。
【００５０】
また、光変調装置３０は、フレーム３５において、透明ガラス３１の内面となる入射側外面３１Ａと、透明ガラス３２の内面となる射出側外面３２Ｂと、対向基板１１２および素子基板１１１の外形端面と、に沿った形状を有する開口部３５５，３５６が形成されている。
【００５１】
上述した実施形態によれば、以下の効果が得られる。
本実施形態の光変調装置３０によれば、フレーム３５の入射側外面３５２Ａは、透明ガラス３２の入射側外面３２Ａと略同一平面となっているため、フレーム３５の入射側外面３５２Ａと、透明ガラス３２の入射側外面３２Ａとの間の段差を極力なくすことができる。また、同様に、フレーム３５の射出側外面３５３Ｂは、透明ガラス３１の射出側外面３１Ｂと略同一平面となっているため、フレーム３５の射出側外面３５３Ｂと、透明ガラス３１の射出側外面３１Ｂとの間の段差を極力なくすことができる。
【００５２】
これにより、冷却風が光変調装置３０に流動した場合、フレーム３５の入射側外面３５２Ａおよび略同一平面となる透明ガラス３２の入射側外面３２Ａに流動する冷却風は、圧力損失が極力抑えられ、スムーズに流動する。また、フレーム３５の射出側外面３５３Ｂおよび略同一平面となる透明ガラス３１の射出側外面３１Ｂに流動する冷却風は、圧力損失が極力抑えられ、スムーズに流動する。
【００５３】
これにより、透明ガラス３１，３２は効率的に冷却される。透明ガラス３１，３２が効率的に冷却されることにより、透明ガラス３１，３２に接合する対向基板１１２、素子基板１１１を効率的に冷却することができる。従って、光変調装置３０の冷却効率を向上させることができる。
【００５４】
本実施形態の光変調装置３０によれば、透明ガラス３１，３２は、素子基板１１１と、対向基板１１２の外形形状以上の大きさを有し、冷却風と接する透明ガラス３１，３２の表面積（放熱面積）を拡大しているので、透明ガラス３１，３２を効率的に冷却することができる。これにより、透明ガラス３１，３２に接合する素子基板１１１および対向基板１１２を効率的に冷却することができる。従って、光変調装置３０の冷却効率を向上させることができる。
【００５５】
本実施形態の光変調装置３０によれば、フレーム３５において、透明ガラス３１の内面（入射側外面３１Ａ）と、透明ガラス３２の内面（射出側外面３２Ｂ）と、対向基板１１２および素子基板１１１の外形端面と、に沿った形状を有する開口部３５５，３５６が形形成されている。これにより、開口部３５５，３５６と、透明ガラス３１の入射側外面３１Ａ、透明ガラス３２の射出側外面３２Ｂ、対向基板１１２や素子基板１１１の外形端面などとの隙間を小さくすることができる。そのため、開口部３５５，３５６を介して熱をフレーム本体３５１に効率的に伝達することができるため、素子基板１１１や対向基板１１２を効率的に冷却することができる。従って、光変調装置３０の冷却効率を向上させることができる。
【００５６】
本実施形態の光変調装置３０によれば、フレーム３５には、ケーブル１９を挿通するケーブル用孔３５８が形成されている。これにより、ケーブル１９に無用な外力を加えることなく、ケーブル１９をケーブル用孔３５８に挿通でき、光変調装置３０として組み立てることができる。
（第２実施形態）
【００５７】
図３は、第２実施形態に係る光変調装置を示す図であり、図３（ａ）は、光変調装置の概構成図であり、図３（ｂ）は、光変調装置の概断面図である。図３を参照して、光変調装置６０の構成を説明する。
【００５８】
なお、本実施形態の光変調装置６０は、第１実施形態と同様の液晶パネル１１および透明ガラス３１，３２で構成されている。また、液晶パネル１１を保持するフレーム６５は、第１実施形態と比較して、延出部としてのフィン部（入射側フィン部６６０および射出側フィン部６６１）を有していることが異なる点である。他は、概略第１実施形態のフレーム３５と同様である。
【００５９】
本実施形態のフレーム６５は、第１実施形態と同様に、矩形状をなし、光束入射側（−Ｙ方向）の入射側縁部６５２と光束射出側（＋Ｙ方向）の射出側縁部６５３を有したフレーム本体６５１で形成される。また、フレーム６５は、中央には、開口部６５４，６５５，６５６，６５７が形成されている。また、フレーム本体６５１の上面には、ケーブル１９を挿通するケーブル用孔６５８が貫通して形成されている。そして、本実施形態のフレーム６５は、フレーム本体６５１の上面と下面の光束入射側および光束射出側には、延出部としての入射側フィン部６６０および射出側フィン部６６１を有している。
【００６０】
液晶パネル１１のフレーム６５への組み立てを説明する。
液晶パネル１１のフレーム６５への組み立ては、第１実施形態と同様であり、図３（ａ）に示すように、透明ガラス３１の入射側外面３１Ａを素子基板１１１の射出側外面１１１Ｂに接合する。次に、フレーム６５の透明ガラス当て部６５４Ａに接着剤を塗布し、透明ガラス３２を開口部６５４に挿入し、透明ガラス３２の射出側外面３２Ｂを透明ガラス当て部６５４Ａに当接させる。次に、透明ガラス当て部６５４Ａに塗布した接着剤を硬化させて、当接した透明ガラス３２をフレーム本体６５１に固定する。
【００６１】
次に、透明ガラス３１が接合された液晶パネル１１の対向基板１１２がフレーム６５の開口部６５７に臨むように位置させ、ケーブル１９を開口部６５７側からケーブル用孔６５８に挿通させる。なお、このとき対向基板１１２の入射側外面１１２Ａには、接着剤が塗布されている。また、開口部６５５、開口側面部６５５Ａ、開口部６５６、開口側面部６５６Ａ、および開口部６５７にも接着剤が塗布されている。
【００６２】
次に、対向基板１１２を開口部６５５に挿通し、対向基板１１２の入射側外面１１２Ａを透明ガラス３２の射出側外面３２Ｂに当接させる。次に、対向基板１１２の入射側外面１１２Ａに塗布した接着剤を硬化させて、当接した対向基板１１２を透明ガラス３２に固定する。
【００６３】
また、開口部６５５、開口側面部６５５Ａ、開口部６５６、開口側面部６５６Ａ、および開口部６５７に塗布した接着剤も硬化する。これにより、液晶パネル１１の素子基板１１１、対向基板１１２、および透明ガラス３１の外周端面などがフレーム本体６５１に固定される。
以上の組み立てにより、光変調装置６０が完成する。
【００６４】
以上のように組み立てられた光変調装置６０は、図３（ｂ）に示すように、フレーム６５の入射側外面６５２Ａが、対向基板１１２に接合する透明ガラス３２の入射側外面３２Ａと略同一平面となっている。また、フレーム６５の射出側外面６５３Ｂが、素子基板１１１に接合する透明ガラス３１の射出側外面３１Ｂと略同一平面となっている。
【００６５】
また、光変調装置６０は、フレーム６５において、透明ガラス３１の内面となる入射側外面３１Ａと、透明ガラス３２の内面となる射出側外面３２Ｂと、対向基板１１２および素子基板１１１の外形端面と、に沿った形状を有する開口部６５５，６５６が形成されている。
【００６６】
また、入射側フィン部６６０は、図３（ｂ）に示すように、光束の光軸方向（本実施形態では、Ｙ軸方向となる）に沿って、光束入射側（−Ｙ方向）に延び、対向基板１１２の上下方向（Ｚ方向）の端面に隣接し、対向基板１１２の入射側外面１１２Ａから延出する状態となる。また、射出側フィン部６６１は、図３（ｂ）に示すように、光束の光軸方向（Ｙ軸方向）に沿って、光束射出側（＋Ｙ方向）に延び、素子基板１１１の上下方向（Ｚ方向）の端面に隣接し、素子基板１１１の射出側外面１１１Ｂから延出する状態となる。
【００６７】
なお、本実施形態の光変調装置６０において、冷却ファンなどにより光変調装置６０を冷却する場合、冷却風は、図３（ｂ）においてＸ軸方向に流動させる。これにより、入射側フィン部６６０および射出側フィン部６６１による冷却風の圧力損失をなくすことができる。
【００６８】
本実施形態に係る光変調装置６０は、フィン部（入射側フィン部６６０および射出側フィン部６６１）を有している点が第１実施形態と異なる点であり、それ以外は、第１実施形態と同様である。そのため、第１実施形態に係る光変調装置３０が有する効果のうち該当する効果をそのまま有する他、以下の効果が得られる。
【００６９】
本実施形態の光変調装置６０によれば、フレーム６５に延出部としての入射側フィン部６６０および射出側フィン部６６１を有したことにより、フレーム６５の表面積が増加し、放熱面積を増やすことができる。これにより、光変調装置６０を冷却する場合、素子基板１１１および対向基板１１２を更に効率的に冷却することができる。従って、光変調装置６０の冷却効率を更に向上することができる。
（第３実施形態）
【００７０】
図４は、第３実施形態に係る光変調装置を示す図であり、図４（ａ）は、光変調装置の概構成図であり、図４（ｂ）は、光変調装置の概断面図である。図４を参照して、光変調装置７０の構成を説明する。
【００７１】
なお、本実施形態の光変調装置７０は、第１実施形態と同様の液晶パネル１１および透明ガラス３１，３２で構成されている。
【００７２】
本実施形態のフレーム７５は、第１実施形態と同様に、矩形状をなし、光束入射側（−Ｙ方向）の入射側縁部７５２と光束射出側（＋Ｙ方向）の射出側縁部７５３を有したフレーム本体７５１で形成される。また、フレーム７５は、中央には、開口部７５４，７５５が形成されている。また、フレーム本体７５１の上面には、ケーブル１９を挿通するケーブル用孔７５８が貫通して形成されている。第１実施形態のフレーム３５と比較した場合、本実施形態のフレーム７５は、第１実施形態のフレーム３５の入射側縁部３５２および射出側縁部３５３を取り除いた形態をなしている。
【００７３】
なお、フレーム７５の入射側縁部７５２の入射側外面７５２Ａには、透明ガラス３２が固定される。また、フレーム７５の射出側縁部７５３の射出側外面７５３Ｂには、透明ガラス３１が固定される。なお、本実施形態のフレーム７５の外形形状は、透明ガラス３１，３２の外形形状と同等の大きさに形成されている。
【００７４】
液晶パネル１１のフレーム７５への組み立てを説明する。
図４（ａ）に示すように、透明ガラス３１の入射側外面３１Ａを素子基板１１１の射出側外面１１１Ｂに接合する。次に、フレーム７５の入射側縁部７５２の入射側外面７５２Ａ（第１実施形態の透明ガラス当て部３５４Ａと同様）に接着剤を塗布し、透明ガラス３２を入射側外面７５２Ａに当接させる。次に、入射側外面７５２Ａに塗布した接着剤を硬化させて、当接した透明ガラス３２をフレーム本体７５１に固定する。
【００７５】
次に、透明ガラス３１が接合された液晶パネル１１の対向基板１１２がフレーム７５の開口部７５５に臨むように位置させ、ケーブル１９を開口部７５５側からケーブル用孔７５８に挿通させる。なお、このとき対向基板１１２の入射側外面１１２Ａには、接着剤が塗布されている。また、開口部７５４、開口側面部７５４Ａ、開口部７５５、および射出側縁部７５３の射出側外面７５３Ｂにも接着剤が塗布されている。
【００７６】
次に、対向基板１１２を開口部７５４に挿通し、対向基板１１２の入射側外面１１２Ａを透明ガラス３２の射出側外面３２Ｂに当接させる。次に、対向基板１１２の入射側外面１１２Ａに塗布した接着剤を硬化させて、当接した対向基板１１２を透明ガラス３２に固定する。
【００７７】
また、開口部７５４、開口側面部７５４Ａ、開口部７５５、および射出側縁部７５３の射出側外面７５３Ｂに塗布した接着剤も硬化する。これにより、液晶パネル１１の素子基板１１１および対向基板１１２の外周端面、ならびに透明ガラス３１の入射側外面３１Ａがフレーム本体７５１に固定される。
以上の組み立てにより、光変調装置７０が完成する。
【００７８】
以上のように組み立てられた光変調装置７０は、図４（ｂ）に示すように、フレーム７５は光束入射側や光束射出側には露出していない形態となる。言い換えると、光変調装置７０のフレーム７５は、透明ガラス３１の内面となる入射側外面３１Ａと、透明ガラス３２の内面となる射出側外面３２Ｂと、対向基板１１２および素子基板１１１の外形端面と、に沿った形状を有している。また、光変調装置７０は、光束入射側は透明ガラス３２が露出し、光束射出側は透明ガラス３２が露出した形態となっている。
【００７９】
上述した実施形態によれば、以下の効果が得られる。
本実施形態の光変調装置７０によれば、素子基板１１１と対向基板１１２とを有する光変調素子としての液晶パネル１１と、素子基板１１１の射出側外面１１１Ｂに接合される透明ガラス３１と、対向基板１１２の入射側外面１１２Ａに接合される透明ガラス３２と、を備える。また、フレーム７５は、液晶パネル１１を保持すると共に、透明ガラス３２をフレーム７５の入射側外面７５２Ａに接着されて保持し、透明ガラス３１をフレーム７５の射出側外面７５３Ｂに接着されて保持する。そして、透明ガラス３１，３２は、素子基板１１１、対向基板１１２の外形形状以上の大きさを有し、フレーム７５は、透明ガラス３１，３２の外形形状と同一の大きさである。これにより、透明ガラス３１，３２が、フレーム７５に対して、光変調装置７０の光束入射側方向または光束射出側方向に露出した形態となる。
【００８０】
従って、素子基板１１１または対向基板１１２の外形形状以上の大きさの透明ガラス３１，３２により、冷却風と接する表面積（放熱面積）を拡大させることができる。そして、フレーム７５は、透明ガラス３１，３２の外形形状と同一の大きさであるため、透明ガラス３１，３２の端面部も冷却風と接することができるため、効率的に透明ガラス３１，３２を冷却することができる。なお、透明ガラス３１，３２は、素子基板１１１の射出側外面１１１Ｂおよび対向基板１１２の入射側外面１１２Ａに接合されているため、熱伝導により、透明ガラス３１，３２を接合する素子基板１１１および対向基板１１２を効率的に冷却することができる。従って、光変調装置７０の冷却効率を向上させることができる。また、本実施形態の光変調装置７０の構造とすることにより、光変調装置としての限られたスペースの中で、最大限に透明ガラス３１，３２を拡大することができ、放熱効率を向上させ、冷却効率を一段と向上させることができる。
【００８１】
本実施形態の光変調装置７０によれば、フレーム７５には、ケーブル１９を挿通するケーブル用孔７５８が形成されている。これにより、ケーブル１９に無用な外力を加えることなく、ケーブル１９をケーブル用孔７５８に挿通でき、光変調装置７０として組み立てることができる。
（第４実施形態）
【００８２】
図５は、第４実施形態に係る光変調装置を示す図であり、図５（ａ）は、光変調装置の概構成図であり、図５（ｂ）は、光変調装置の概断面図である。図５を参照して、光変調装置８０の構成を説明する。
【００８３】
なお、本実施形態の光変調装置８０は、第３実施形態と同様の液晶パネル１１および透明ガラス３１，３２で構成されている。また、液晶パネル１１を保持するフレーム８５は、第３実施形態と比較して、延出部としてのフィン部（入射側フィン部８６０および射出側フィン部８６１）を有していることが異なる点である。他は、概略第３実施形態のフレーム７５と同様である。
【００８４】
本実施形態のフレーム８５は、第３実施形態と同様に、矩形状をなし、光束入射側（−Ｙ方向）の入射側縁部８５２と光束射出側（＋Ｙ方向）の射出側縁部８５３を有したフレーム本体８５１で形成される。また、フレーム８５は、中央には、開口部８５４，８５５が形成されている。また、フレーム本体８５１の上面には、ケーブル１９を挿通するケーブル用孔８５８が貫通して形成されている。そして、本実施形態のフレーム８５は、フレーム本体８５１の上面と下面の光束入射側および光束射出側には、延出部としての入射側フィン部８６０および射出側フィン部８６１を有している。
【００８５】
液晶パネル１１のフレーム８５への組み立てを説明する。
液晶パネル１１のフレーム８５への組み立ては、第３実施形態と同様であり、図５（ａ）に示すように、透明ガラス３１の入射側外面３１Ａを素子基板１１１の射出側外面１１１Ｂに接合する。次に、フレーム８５の入射側縁部８５２の入射側外面８５２Ａに接着剤を塗布し、透明ガラス３２を入射側外面８５２Ａに当接させる。次に、入射側外面８５２Ａに塗布した接着剤を硬化させて、当接した透明ガラス３２をフレーム本体８５１に固定する。
【００８６】
次に、透明ガラス３１が接合された液晶パネル１１の対向基板１１２がフレーム８５の開口部８５５に臨むように位置させ、ケーブル１９を開口部８５５側からケーブル用孔８５８に挿通させる。なお、このとき対向基板１１２の入射側外面１１２Ａには、接着剤が塗布されている。また、開口部８５４、開口側面部８５４Ａ、開口部８５５、および射出側縁部８５３の射出側外面８５３Ｂにも接着剤が塗布されている。
【００８７】
次に、対向基板１１２を開口部８５４に挿通し、対向基板１１２の入射側外面１１２Ａを透明ガラス３２の射出側外面３２Ｂに当接させる。次に、対向基板１１２の入射側外面１１２Ａに塗布した接着剤を硬化させて、当接した対向基板１１２を透明ガラス３２に固定する。
【００８８】
また、開口部８５４、開口側面部８５４Ａ、開口部８５５、および射出側縁部８５３の射出側外面８５３Ｂに塗布した接着剤も硬化する。これにより、液晶パネル１１の素子基板１１１および対向基板１１２の外周端面、ならびに透明ガラス３１の入射側外面３１Ａがフレーム本体８５１に固定される。
以上の組み立てにより、光変調装置８０が完成する。
【００８９】
入射側フィン部８６０は、図５（ｂ）に示すように、光束の光軸方向（本実施形態では、Ｙ軸方向となる）に沿って、光束入射側（−Ｙ方向）に延び、対向基板１１２の上下方向（Ｚ方向）の端面に隣接し、対向基板１１２の入射側外面１１２Ａから延出する状態となる。また、射出側フィン部８６１は、図５（ｂ）に示すように、光束の光軸方向（Ｙ軸方向）に沿って、光束射出側（＋Ｙ方向）に延び、素子基板１１１の上下方向（Ｚ方向）の端面に隣接し、素子基板１１１の射出側外面１１１Ｂから延出する状態となる。
【００９０】
なお、本実施形態の光変調装置８０において、冷却ファンなどにより光変調装置８０を冷却する場合、冷却風は、図５（ｂ）においてＸ軸方向に流動させる。これにより、入射側フィン部８６０および射出側フィン部８６１による冷却風の圧力損失をなくすことができる。
【００９１】
本実施形態に係る光変調装置８０は、フィン部（入射側フィン部８６０および射出側フィン部８６１）を有している点が第３実施形態と異なる点であり、それ以外は、第３実施形態と同様である。そのため、第３実施形態に係る光変調装置７０が有する効果のうち該当する効果をそのまま有する他、以下の効果が得られる。
【００９２】
本実施形態の光変調装置８０によれば、フレーム８５に延出部としての入射側フィン部８６０および射出側フィン部８６１を有したことにより、フレーム８５の表面積が増加し、放熱面積を増やすことができる。これにより、光変調装置８０を冷却する場合、素子基板１１１および対向基板１１２を更に効率的に冷却することができる。従って、光変調装置８０の冷却効率を更に向上することができる。
（第５実施形態）
【００９３】
図６は、第５実施形態に係る光変調装置を示す図であり、図６（ａ）は、光変調装置の概構成図であり、図６（ｂ）は、光変調装置の概断面図である。図６を参照して、光変調装置２０の構成を説明する。
【００９４】
なお、本実施形態の光変調装置１０は、第１実施形態と同様の液晶パネル１１で構成されているため、液晶パネル１１の説明は省略する。なお、液晶パネル１１には、第１実施形態での透明ガラス３１，３２は接合されていない。従って、本実施形態の光変調装置１０における液晶パネル１１は、入射側偏光板４５２を介して入射する光束を、ケーブル１９を介して入力する画像信号に基づいて変調する。また、液晶パネル１１で変調されて射出された光束は、射出側偏光板４５３を介してクロスダイクロイックプリズム４６１に入射する。
【００９５】
本実施形態のフレーム１５は、第１実施形態と同様に、矩形状をなし、光束入射側（−Ｙ方向）の入射側縁部１５２と光束射出側（＋Ｙ方向）の射出側縁部１５３を有したフレーム本体１５１で形成され、中央には、開口部１５４，１５５が形成されている。また、フレーム本体１５１の上面には、ケーブル１９を挿通するケーブル用孔１５８が貫通して形成されている。
【００９６】
液晶パネル１１のフレーム１５への組み立てを説明する。
図６（ａ）に示すように、液晶パネル１１の対向基板１１２がフレーム１５の開口部１５５に臨むように位置させ、ケーブル１９を開口部１５５側からケーブル用孔１５８に挿通させる。なお、このとき開口部１５４と開口部１５５の段差部となる素子基板当て部１５４Ａには、接着剤が塗布されている。また、開口部１５５の内面にも接着剤が塗布されている。
【００９７】
次に、対向基板１１２を開口部１５４に挿通し、素子基板１１１の入射側外面１１１Ａを素子基板当て部１５４Ａに当接させる。その後、素子基板当て部１５４Ａおよび開口部１５５の内面に塗布した接着剤を硬化させることにより液晶パネル１１がフレーム１５に保持されて固定される。
以上の組み立てにより、光変調装置１０が完成する。
【００９８】
以上のように組み立てられた光変調装置１０は、図６（ｂ）に示すように、フレーム１５の入射側外面１５２Ａが、対向基板１１２の入射側外面１１２Ａと略同一平面となっている。また、フレーム１５の射出側外面１５３Ｂが、素子基板１１１の射出側外面１１１Ｂと略同一平面となっている。
【００９９】
上述した実施形態によれば、以下の効果が得られる。
本実施形態の光変調装置１０によれば、フレーム１５の入射側外面１５２Ａは、対向基板１１２の入射側外面１１２Ａと略同一平面となっているため、フレーム１５の入射側外面１５２Ａと、対向基板１１２の入射側外面１１２Ａとの間の段差を極力なくすことができる。また、同様に、フレーム１５の射出側外面１５３Ｂは、素子基板１１１の射出側外面１１１Ｂと略同一平面となっているため、フレーム１５の射出側外面１５３Ｂと、素子基板１１１の射出側外面１１１Ｂとの間の段差を極力なくすことができる。
【０１００】
これにより、冷却風が光変調装置１０に流動した場合、フレーム１５の入射側外面１５２Ａに流動する冷却風は、圧力損失が極力抑えられ、略同一平面となる対向基板１１２の入射側外面１１２Ａにスムーズに流動する。また、フレーム１５の射出側外面１５３Ｂに流動する冷却風は、圧力損失が極力抑えられ、略同一平面となる素子基板１１１の射出側外面１１１Ｂにスムーズに流動する。また、逆に、対向基板１１２の入射側外面１１２Ａに流動する冷却風は、圧力損失が極力抑えられ、フレーム１５の入射側外面１５２Ａにスムーズに流動する。また、素子基板１１１の射出側外面１１１Ｂに流動する冷却風は、圧力損失が極力抑えられ、フレーム１５の射出側外面１５３Ｂにスムーズに流動する。これにより、対向基板１１２および素子基板１１１を効率的に冷却することができる。従って、光変調装置１０の冷却効率を向上させることができる。
【０１０１】
本実施形態の光変調装置１０によれば、フレーム１５には、ケーブル１９を挿通するケーブル用孔１５８が形成されている。これにより、ケーブル１９に無用な外力を加えることなく、ケーブル１９をケーブル用孔１５８に挿通でき、光変調装置１０として組み立てることができる。
（第６実施形態）
【０１０２】
図７は、第６実施形態に係る光変調装置を示す図であり、図７（ａ）は、光変調装置の概構成図であり、図７（ｂ）は、光変調装置の概断面図である。図７を参照して、光変調装置２０の構成を説明する。
【０１０３】
なお、本実施形態の光変調装置２０は、第１実施形態と同様の液晶パネル１１で構成されている。また、液晶パネル１１を保持するフレーム２５は、第５実施形態と比較して、延出部としてのフィン部（入射側フィン部２６０および射出側フィン部２６１）を有していることが異なる点である。他は、概略第５実施形態のフレーム１５と同様である。
【０１０４】
本実施形態のフレーム２５は、第５実施形態と同様に、矩形状をなし、光束入射側（−Ｙ方向）の入射側縁部２５２と光束射出側（＋Ｙ方向）の射出側縁部２５３を有したフレーム本体２５１で形成され、中央には、開口部２５４，２５５が形成されている。また、フレーム本体２５１の上面には、ケーブル１９を挿通するケーブル用孔２５８が貫通して形成されている。そして、フレーム本体２５１の上面と下面の光束入射側および光束射出側には、延出部としての入射側フィン部２６０および射出側フィン部２６１を有している。
【０１０５】
液晶パネル１１のフレーム２５への組み立てを説明する。
液晶パネル１１のフレーム２５への組み立ては、第５実施形態と同様であり、図７（ａ）に示すように、液晶パネル１１の対向基板１１２がフレーム２５の開口部２５５に臨むように位置させ、ケーブル１９を開口部２５５側からケーブル用孔２５８に挿通させる。なお、このとき開口部２５４と開口部２５５の段差部となる素子基板当て部２５４Ａには、接着剤が塗布されている。また、開口部２５５の内面にも接着剤が塗布されている。
【０１０６】
次に、対向基板１１２を開口部２５４に挿通し、素子基板１１１の入射側外面１１１Ａを素子基板当て部２５４Ａに当接させる。その後、素子基板当て部２５４Ａおよび開口部２５５の内面に塗布した接着剤を硬化させることにより液晶パネル１１がフレーム２５に保持されて固定される。
以上の組み立てにより、光変調装置２０が完成する。
【０１０７】
以上のように組み立てられた光変調装置２０は、図７（ｂ）に示すように、フレーム２５の入射側外面２５２Ａが、対向基板１１２の入射側外面１１２Ａと略同一平面となっている。また、フレーム２５の射出側外面２５３Ｂが、素子基板１１１の射出側外面１１１Ｂと略同一平面となっている。
【０１０８】
また、入射側フィン部２６０は、図７（ｂ）に示すように、光束の光軸方向（本実施形態では、Ｙ軸方向となる）に沿って、光束入射側（−Ｙ方向）に延び、対向基板１１２の上下方向（Ｚ方向）の端面に隣接し、対向基板１１２の入射側外面１１２Ａから延出する状態となる。また、射出側フィン部２６１は、図７（ｂ）に示すように、光束の光軸方向（Ｙ軸方向）に沿って、光束射出側（＋Ｙ方向）に延び、素子基板１１１の上下方向（Ｚ方向）の端面に隣接し、素子基板１１１の射出側外面１１１Ｂから延出する状態となる。
【０１０９】
なお、本実施形態の光変調装置２０において、冷却ファンなどにより光変調装置２０を冷却する場合、冷却風は、図７（ｂ）においてＸ軸方向に流動させる。これにより、入射側フィン部２６０および射出側フィン部２６１による冷却風の圧力損失をなくすことができる。
【０１１０】
本実施形態に係る光変調装置２０は、フィン部（入射側フィン部２６０および射出側フィン部２６１）を有している点が第５実施形態と異なる点であり、それ以外は、第５実施形態と同様である。そのため、第５実施形態に係る光変調装置１０が有する効果のうち該当する効果をそのまま有する他、以下の効果が得られる。
【０１１１】
本実施形態の光変調装置２０によれば、フレーム２５に延出部としての入射側フィン部２６０および射出側フィン部２６１を有したことにより、フレーム２５の表面積が増加し、放熱面積を増やすことができる。これにより、光変調装置２０を冷却する場合、素子基板１１１および対向基板１１２を更に効率的に冷却することができる。従って、光変調装置２０の冷却効率を更に向上させることができる。
（第７実施形態）
【０１１２】
図８は、第７実施形態に係るプロジェクターの冷却用の流路部分を示す図であり、図８（ａ）は、流路部分を示す概平面図であり、図８（ｂ）は、光変調装置と第２壁部との位置関係を示す概斜視図である。なお、本実施形態は、第１実施形態でのプロジェクター１における冷却用の流路部分の構成を示している。図８を参照して、プロジェクター１の流路９０の構成、動作、および光変調装置３０と第２壁部９１５との位置関係を説明する。
【０１１３】
図８（ａ）に示すように、流路９０は、光変調装置３０を空冷により冷却するために、冷却風を流動させるものである。流路９０は、第１流路９１と第２流路９２とから構成されている。第１流路９１は、液晶パネル１１Ｒ，１１Ｇ，１１Ｂと入射側偏光板４５２Ｒ，４５２Ｇ，４５２Ｂとの間に設けられている。そして、第２流路９２は、液晶パネル１１Ｒ，１１Ｇ，１１Ｂとクロスダイクロイックプリズム４６１との間に設けられている。
【０１１４】
また、第１流路９１は、入射側偏光板４５２を固定して流路を構成する突設部としての第１壁部９１１と、液晶パネル１１に隣接して流路を構成する突設部としての第２壁部９１５とに仕切られる形態で形成される。また、第２流路９２は、液晶パネル１１に隣接して流路を構成する突設部としての第２壁部９１５と、射出側偏光板４５３を固定して流路を構成するクロスダイクロイックプリズム４６１の側面とに仕切られる形態で形成される。そして、流路９０（第１流路９１、第２流路９２）は、液晶パネル１１Ｒ，１１Ｇ，１１Ｂを挟んで（第２壁部９１５を挟んで）Ｕ字の形に形成されている。
【０１１５】
なお、入射側偏光板４５２は、各々ガラス板４５５に貼付されて、第１壁部９１１の溝部９１２に挿入されて固定される。また、射出側偏光板４５３は、各々ガラス板４５６に貼付され、そのガラス板４５６が、クロスダイクロイックプリズム４６１の対応する３つの側面に貼付されて固定される。光変調装置３０は、入射側偏光板４５２と射出側偏光板４５３とに相対し、第２壁部９１５に隣接して設置される。
【０１１６】
図８（ｂ）に示すように、本実施形態の光変調装置３０は、第２壁部９１５に挟まれるように設置されている。逆に言うと、第２壁部９１５は、光変調装置３０の両横に隣接している。そして、本実施形態では、光変調装置３０の光束入射側に設置される透明ガラス３２の入射側外面３２Ａは、入射側外面３２Ａの延長上に、第２壁部９１５の光変調装置３０に隣接する入射側側面９１６の側面端部９１６Ａが略位置するように設置されている。また、図示省略しているが、光変調装置３０の光束射出側に設置される透明ガラス３１の射出側外面３１Ｂは、射出側外面３１Ｂの延長上に、第２壁部９１５の光変調装置３０に隣接する射出側側面９１７の側面端部９１７Ａが略位置するように設置されている。
【０１１７】
ここで、流路９０における冷却風の流動に関して説明する。
本実施形態では、投写レンズ４７１の側部（＋Ｘ側）に、冷却風を吐出する冷却ファン（図示省略）が設置されている。この冷却ファンから吐出された冷却風は、最初の第２壁部９１５により、第１流路９１側と第２流路９２側に分岐（分流）される。
【０１１８】
第１流路９１を流動する冷却風により、光変調装置３０（液晶パネル１１Ｂ）、光変調装置３０（液晶パネル１１Ｇ）、光変調装置３０（液晶パネル１１Ｒ）が順次冷却される。また併せて入射側偏光板４５２Ｂ，４５２Ｇ，４５２Ｒも順次冷却される。
【０１１９】
また、第２流路９２を流動する冷却風により、光変調装置３０（液晶パネル１１Ｂ）、光変調装置３０（液晶パネル１１Ｇ）、光変調装置３０（液晶パネル１１Ｒ）が順次冷却される。また併せて射出側偏光板４５３Ｂ，４５３Ｇ，４５３Ｒも順次冷却される。
【０１２０】
そして、第１流路９１と第２流路９２を流動した冷却風は、最後の第２壁部９１５により、合流して流路９０から排気される。なお、この流路９０から排気された冷却風は、最終的にプロジェクター１の外部に排気される。この一連の冷却風の流動により、光変調装置３０、入射側偏光板４５２、および射出側偏光板４５３が冷却される。
【０１２１】
上述した実施形態によれば、以下の効果が得られる。
本実施形態のプロジェクター１によれば、透明ガラス３２の入射側外面３２Ａは、この入射側外面３２Ａの延長上に、流路を形成する突設部としての第２壁部９１５の光変調装置３０に隣接する入射側側面９１６の側面端部９１６Ａが略位置するように設置される。また、光変調装置３０は、フレーム３５の入射側外面３５２Ａと、透明ガラス３２の入射側外面３２Ａとは略同一平面となるように形成されている。これにより、第２壁部９１５の光変調装置３０に隣接する側面端部９１６Ａと、入射側外面３２Ａとの間の段差を極力なくすことができる。これにより、第１流路９１を流動する冷却風は、第２壁部９１５の側面端部９１６Ａから透明ガラス３２の入射側外面３２Ａにスムーズに流動でき、冷却風の圧力損失を極力抑えることができる。また、冷却風は、透明ガラス３２の入射側外面３２Ａから、第２壁部９１５の側面端部９１６Ａにもスムーズに流動でき、冷却風の圧力損失を極力抑えることができる。従って、透明ガラス３２を効率的に冷却することができることにより、透明ガラス３２が接合する対向基板１１２を冷却でき、光変調装置３０の冷却効率を向上できるプロジェクター１を実現することができる。
【０１２２】
また、本実施形態のプロジェクター１によれば、透明ガラス３１の射出側外面３１Ｂは、この射出側外面３１Ｂの延長上に、流路を形成する突設部としての第２壁部９１５の光変調装置３０に隣接する射出側側面９１７の側面端部９１７Ａが略位置するように設置される。また、光変調装置３０は、フレーム３５の射出側外面３５３Ｂと、透明ガラス３１の射出側外面３１Ｂとは略同一平面となるように形成されている。これにより、第２壁部９１５の光変調装置３０に隣接する側面端部９１７Ａと、射出側外面３１Ｂとの間の段差を極力なくすことができる。これにより、第２流路９２を流動する冷却風は、第２壁部９１５の側面端部９１７Ａから透明ガラス３１の射出側外面３１Ｂにスムーズに流動でき、冷却風の圧力損失を極力抑えることができる。また、冷却風は、透明ガラス３１の射出側外面３１Ｂから、第２壁部９１５の側面端部９１７Ａにもスムーズに流動でき、冷却風の圧力損失を極力抑えることができる。従って、透明ガラス３１を効率的に冷却することができることにより、透明ガラス３１が接合する素子基板１１１を冷却でき、光変調装置３０の冷却効率を向上できるプロジェクター１を実現することができる。
【０１２３】
なお、上述した実施形態に限定されず、その要旨を逸脱しない範囲において種々の変更や改良などを加えて実施することが可能である。変形例を以下に述べる。
【０１２４】
前記第１実施形態において、素子基板１１１の射出側外面１１１Ｂに透明ガラス３１が接合され、対向基板１１２の入射側外面１１２Ａに透明ガラス３２が接合されている。しかし、これに限られず、素子基板１１１または対向基板１１２の外面のどちらか一方に透明ガラスが接合されていてもよい。これは、第２実施形態〜第４実施形態に対しても同様である。
【０１２５】
前記第１実施形態において、透明ガラス３１，３２は、素子基板１１１、対向基板１１２の外形形状より大きく、また同一の大きさとしている。しかし、これに限られず、透明ガラス３１，３２は、各々異なる大きさでもよく、素子基板１１１に接合する透明ガラス３１は、素子基板１１１の外形より大きく、また、対向基板１１２に接合する透明ガラス３２は、対向基板１１２の外形より大きければよい。また、透明ガラス３１は素子基板１１１の外形と同一でもよいし、透明ガラス３２は対向基板１１２の外形と同一でもよい。この場合、透明ガラス３１，３２の外形形状に合わせて、フレーム３５の射出側縁部３５３や入射側縁部３５２を延ばすことで、透明ガラス３１の外形端部と、射出側縁部３５３との隙間や、透明ガラス３２の外形端部と、入射側縁部３５２との隙間を小さくすることで、冷却性能を維持することができる。これは、第２実施形態〜第４実施形態に対しても同様である。
【０１２６】
前記第１実施形態において、フレーム３５の光束入射側の外面（入射側外面３５２Ａ）は、対向基板１１２の外面（入射側外面１１２Ａ）に接合する透明ガラス３２の入射側外面３２Ａと略同一平面となるように形成されている。また、フレーム３５の光束射出側の外面（射出側外面３５３Ｂ）は、素子基板１１１の外面（射出側外面１１１Ｂ）に接合する透明ガラス３１の射出側外面３１Ｂと略同一平面となるように形成されている。しかし、これに限られず、フレーム３５の光束入射側または光束射出側の一方の外面が、対応する透明ガラス３１，３２の外面と略同一平面となるように形成されていればよく、冷却効率を向上させることができる。これは、第２実施形態に対しても同様である。
【０１２７】
前記第３実施形態において、透明ガラス３１，３２は、素子基板１１１または対向基板１１２の外形形状より大きい外形形状を有し、フレーム７５は、透明ガラス３１，３２の外形形状と略同一の大きさである。しかし、これに限られず、フレーム７５は、透明ガラス３１，３２の外形形状より小さい形状であってもよく、冷却効率を向上させることができる。
【０１２８】
前記第２実施形態において、フレーム６５は、延出部としての入射側フィン部６６０および射出側フィン部６６１を有している。しかし、これに限られず、入射側フィン部６６０および射出側フィン部６６１のどちらか一方を有することでもよい。これは、第４実施形態および第６実施形態に対しても同様である。
【０１２９】
前記第２実施形態において、フレーム６５は、延出部としての入射側フィン部６６０をフレーム本体６５１の上面と下面に有している。しかし、これに限られず、上面と下面のどちらか一方に有していてもよい。これは、射出側フィン部６６１に対しても同様である。また、これは、第４実施形態および第６実施形態に対しても同様である。
【０１３０】
前記第２実施形態において、フレーム６５は、延出部としての入射側フィン部６６０および射出側フィン部６６１を、フレーム本体６５１の上面と下面に有している。しかし、この構成は、光変調装置６０を冷却する冷却風が、図３に示すＸ軸方向に流動する場合を想定している。従って、冷却風が、図３に示すＺ軸方向に流動する場合には、入射側フィン部６６０および射出側フィン部６６１を、フレーム本体６５１の左右面（Ｘ軸方向の端面）に有することでよい。言い換えると、延出部は、冷却風の流動方向に沿って設けることでよい。これは、第４実施形態および第６実施形態に対しても同様である。
【０１３１】
前記第５実施形態において、フレーム１５の光束入射側の外面（入射側外面１５２Ａ）は、対向基板１１２の外面（入射側外面１１２Ａ）と略同一平面となるように形成されている。また、フレーム１５の光束射出側の外面（射出側外面１５３Ｂ）は、素子基板１１１の外面（射出側外面１１１Ｂ）と略同一平面となるように形成されている。しかし、これに限られず、フレーム１５の光束入射側または光束射出側の一方の外面が、対応する対向基板１１２または素子基板１１１の外面と略同一平面となるように形成されていればよく、冷却効率を向上させることができる。これは、第６実施形態に対しても同様である。
【０１３２】
前記第７実施形態では、光変調装置として、透明ガラス３１，３２を有した光変調装置３０を用いていた。しかし、これに限られず、透明ガラス３１，３２を有さない、光変調装置１０，２０を用いてもよい。例えば、光変調装置１０を用いて、光変調装置１０に隣接する突設部として第２壁部９１５を備えた場合、光変調装置１０の対向基板１１２の入射側外面１１２Ａは、入射側外面１１２Ａの延長上に、第２壁部９１５の光変調装置１０に隣接する入射側側面９１６の側面端部９１６Ａが略位置するように設置させることでよい。また、光変調装置１０の素子基板１１１の射出側外面１１１Ｂは、射出側外面１１１Ｂの延長上に、第２壁部９１５の光変調装置１０に隣接する射出側側面９１７の側面端部９１７Ａが略位置するように設置させることでよい。これは光変調装置２０を用いた場合も同様である。
【０１３３】
また、上記の場合、対向基板１１２の入射側外面１１２Ａ、および素子基板１１１の射出側外面１１１Ｂのうち、少なくとも一方の外面の延長上に、第２壁部９１５の光変調装置１０に隣接する側面端部９１６Ａおよび側面端部９１７Ａの対応する一方の側面端部が略位置するように設置されることでよく、同様の効果を奏する。これは、光変調装置２０を用いても同様である。
【０１３４】
前記第７実施形態において、光変調装置３０を用いていた。しかし、これに限られず、光変調装置６０，７０，８０を用いても同様の効果を奏する。
【０１３５】
前記第７実施形態において、光変調装置３０の透明ガラス３２の入射側外面３２Ａは、入射側外面３２Ａの延長上に、光変調装置３０に隣接する第２壁部９１５の入射側側面９１６の側面端部９１６Ａが略位置するように設置させている。また、光変調装置３０の透明ガラス３１の射出側外面３１Ｂは、射出側外面３１Ｂの延長上に、第２壁部９１５の光変調装置３０に隣接する射出側側面９１７の側面端部９１７Ａが略位置するように設置させている。しかし、これに限られず、透明ガラス３２の入射側外面３２Ａ、および透明ガラス３１の射出側外面３１Ｂのうち、少なくとも一方の外面の延長上に、第２壁部９１５の光変調装置３０に隣接する側面端部９１６Ａおよび側面端部９１７Ａの対応する一方の側面端部が略位置するように設置されることでよく、同様の効果を奏する。これは、光変調装置６０，７０，８０を用いても同様である。
【０１３６】
前記第１実施形態において、ケーブル１９を挿通するケーブル用孔３５８を有している。しかし、これに限られず、フレーム３５に切り欠き部を形成し、その切り欠き部にケーブル１９を通すことでもよい。これは、第２実施形態〜第６実施形態に対しても同様である。
【０１３７】
前記第１実施形態の光変調装置３０に用いる液晶パネル１１Ｒ，１１Ｇ，１１Ｂは、透過型の液晶パネルを用いているが、反射型の液晶パネルなど、反射型の光変調装置を用いることも可能である。これは、第２実施形態〜第６実施形態に対しても同様である。
【０１３８】
前記第１実施形態の光変調装置３０は、赤色光、緑色光、および青色光に対応する３つの液晶パネル１１Ｒ，１１Ｇ，１１Ｂを用いるいわゆる３板方式を採用しているが、これに限らず、単板方式を採用してもよい。これは、第２実施形態〜第６実施形態に対しても同様である。
【０１３９】
前記第７実施形態では、流路９０の構成を示しているが、この流路９０の構成に限られず、冷却風の向きなども含めた様々な流路構成に対して、適宜、前記第１実施形態〜前記第６実施形態の光変調装置３０，６０，７０，８０，１０，２０を選択することで対応することができる。また、冷却効率を向上させた光変調装置３０，６０，７０，８０，１０，２０をプロジェクターに備えることにより、光変調装置が発熱量の増加に耐えることができ、プロジェクターの小型・高輝度化を図ることができる。
【０１４０】
前記実施形態の光学系４は、光源装置（光源ランプ４１）から射出された光束の照度を均一化する光学系として、第１レンズアレイ４２２、第２レンズアレイ４２３からなるレンズインテグレーター光学系を用いているが、これに限定されるものではなく、導光ロッドからなるロッドインテグレーター光学系も用いることができる。
【０１４１】
前記実施形態の光学系４において、光源装置（光源ランプ４１）は、放電式のランプを採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【０１４２】
１…プロジェクター、４…光学系、１０，２０，３０，６０，７０，８０…光変調装置、１１…液晶パネル、１５，２５，３５，６５，７５，８５…フレーム、１９…ケーブル、３１，３２…透明ガラス、３１Ｂ…射出側外面、３２Ａ…入射側外面、９０…流路、９１…第１流路、９２…第２流路、１５２Ａ，２５２Ａ，３５２Ａ，６５２Ａ，７５２Ａ，８５２Ａ…入射側外面、１５３Ｂ，２５３Ｂ，３５３Ｂ，６５３Ｂ，７５３Ｂ，８５３Ｂ…射出側外面、１５８，２５８，３５８，６５８，７５８，８５８…ケーブル用孔、２６０，６６０，８６０…入射側フィン部、２６１，６６１，８６１…射出側フィン部、９１５…第２壁部、９１６…入射側側面、９１６Ａ…側面端部、９１７…射出側側面、９１７Ａ…側面端部、Ａ…照明光軸、Ｂ…投写光軸。
【図１】
2011075770.tif 000003
【図２】
2011075770.tif 000004
【図３】
2011075770.tif 000005
【図４】
2011075770.tif 000006
【図５】
2011075770.tif 000007
【図６】
2011075770.tif 000008
【図７】
2011075770.tif 000009
【図８】
2011075770.tif 000010